(57)【特許請求の範囲】
【請求項１】
互いに対向する前後胴周り域およびそれら胴周り域の間に位置する股下域を備え、胴周り開口および一対の脚周り開口を有するパンツと、前記パンツの内側に配置され、前記股下域から前記前後胴周り域に向かって延びる液吸収性パッドとから構成され、前記パッドが、その前端部から縦方向外方へ延びる第１連結帯と、その後端部から縦方向外方へ延びる第２連結帯とを有し、前記第１連結帯の上端部が、前記前胴周り域の胴周り開口縁部に取り付けられ、前記第２連結帯の上端部が、前記後胴周り域の胴周り開口縁部に取り付けられたパンツ型の使い捨て着用物品において、
前記パンツと前記第１および第２連結帯とが、縦方向と横方向とへ弾性的な伸縮性を有し、前記パンツの伸長応力が、前記第１および第２連結帯のそれよりも大きく、前記第２連結帯の伸長応力が、前記第１連結帯のそれよりも小さいことを特徴とする前記着用物品。
【請求項２】
前記パンツが、それぞれ弾性的な伸縮性を有する別体の前身頃シートと後身頃シートとから形成され、前記パンツでは、前記前身頃シートの胴周り両側部と前記後身頃シートの胴周り両側部とが固着され、前記前身頃シートの股下端部と前記後身頃シートの股下端部とが固着され、前記後身頃シートの伸長応力が前記前身頃シートのそれよりも小さい請求項１記載の着用物品。
【請求項３】
前記パッドが、肌当接側に位置する透液性表面シートと、肌非当接側に位置する不透液性裏面シートと、前記表裏面シートの間に介在する吸液性コアとから形成されている請求項１または請求項２に記載の着用物品。
【発明の詳細な説明】
【０００１】
【発明の属する技術分野】
本発明は、排泄物を吸収、保持するパンツ型の使い捨て着用物品に関する。
【０００２】
【従来の技術】
特開平９−７５３９０号公報は、互いに対向する前後胴周り域およびそれら胴周り域の間に位置する股下域を備え、胴周り開口と一対の脚周り開口とを有するパンツと、パンツの内側に配置され、股下域から前後胴周り域に向かって延びる液吸収性パッドとから構成され、パンツが前後胴周り域の胴周り開口周縁部から股下域へ向かって縦方向へ延びる柔軟な第１および第２吊持片を有し、パッドがそれら吊持片に着脱可能に取り付けられたパンツ型の使い捨て着用物品を開示している。この物品では、第１および第２吊持片の所要の部位に第１止着域が形成され、パッドの前後端部に第２止着域が形成されており、第２止着域を第１止着域に止着してパッドを第１および第２吊持片に取り付ける。
【０００３】
パンツは、実質的に非伸縮性の前身頃シートおよび後身頃シートと、それら身頃シートの間に位置する伸縮性の股下シートとから形成されている。前後身頃シートには、物品を着用したときに、物品が着用者の胴部から不用意にずり下がることがないように、着用者の胴部を締め付けるための横方向へ延びる複数条の胴周り用弾性部材が収縮可能に取り付けられている。パッドは、肌当接側に位置する透液性表面シートと、肌非当接側に位置する不透液性裏面シートと、表裏面シートの間に介在する吸液性コアとから形成されている。
【０００４】
【発明が解決しようとする課題】
前記公報に開示の着用物品では、第１および第２吊持片が不織布やプラスチックフィルム、ポリウレタンフォーム等のクッション性を有するスポンジ質材で形成されており、それら吊持片が実質的に弾性的な伸縮性を有さず、物品を着用したときに、それら吊持片を利用してパッドを着用者の股間部に密着させることができない。また、この物品では、その着用中に、パンツが着用位置から動くと、その動きがそれら吊持片を介してパッドに容易に伝わり、パンツと一緒にパッドも動き、パッドが着用位置からずれてしまう。
【０００５】
本発明の課題は、液吸収性パッドを着用者の股間部に密着させることができ、パンツが着用位置から動いたとしても、その動きがパッドに伝わり難いパンツ型の使い捨て着用物品を提供することにある。
【０００６】
【課題を解決するための手段】
前記課題を解決するための本発明の前提は、互いに対向する前後胴周り域およびそれら胴周り域の間に位置する股下域を備え、胴周り開口および一対の脚周り開口を有するパンツと、前記パンツの内側に配置され、前記股下域から前記前後胴周り域に向かって延びる液吸収性パッドとから構成され、前記パッドが、その前端部から縦方向外方へ延びる第１連結帯と、その後端部から縦方向外方へ延びる第２連結帯とを有し、前記第１連結帯の上端部が、前記前胴周り域の胴周り開口縁部に取り付けられ、前記第２連結帯の上端部が、前記後胴周り域の胴周り開口縁部に取り付けられたパンツ型の使い捨て着用物品である。
【０００７】
前記前提における本発明の特徴としては、前記パンツと前記第１および第２連結帯とが縦方向と横方向とへ弾性的な伸縮性を有し、前記パンツの伸長応力が前記第１および第２連結帯のそれよりも大きく、前記第２連結帯の伸長応力が、前記第１連結帯のそれよりも小さいことにある。
【０００８】
【０００９】
本発明の実施の態様の一例としては、前記パンツがそれぞれ弾性的な伸縮性を有する別体の前身頃シートと後身頃シートとから形成され、前記パンツでは、前記前身頃シートの胴周り両側部と前記後身頃シートの胴周り両側部とが固着され、前記前身頃シートの股下端部と前記後身頃シートの股下端部とが固着され、前記後身頃シートの伸長応力が前記前身頃シートのそれよりも小さい。
【００１０】
本発明の実施の態様の他の一例としては、前記パッドが、肌当接側に位置する透液性表面シートと、肌非当接側に位置する不透液性裏面シートと、前記表裏面シートの間に介在する吸液性コアとから形成されている。
【００１１】
【発明の実施の形態】
添付の図面を参照し、本発明に係るパンツ型の使い捨て着用物品の詳細を説明すると、以下のとおりである。
【００１２】
図１，２は、一例として示す着用物品１Ａの斜視図と、パンツＰ１の前後胴周り域４，６の連結を解除した状態で示す物品１Ａの部分破断平面図とであり、図３，４は、図１のＡ−Ａ線矢視断面図と、図１のＢ−Ｂ線矢視断面図とである。図１，２では、横方向を矢印Ｘで示し、縦方向を矢印Ｙで示す。なお、表裏面シート１３，１４や防漏シート１９の内面とは、コア１５に対向する面をいい、それらシート１３，１４，１９の外面とは、コア１５に非対向の面をいう。
【００１３】
物品１Ａは、胴周り開口２およびその下方に一対の脚周り開口３を有するパンツＰ１と、パンツＰ１の内側に配置された矩形の液吸収性パッドＰ２と、パンツＰ１とパッドＰ２とを連結する第１および第２連結帯２１，２２とから構成されている。
【００１４】
パンツＰ１は、互いに対向する前胴周り域４および後胴周り域６と、それら胴周り域４，６の間に位置する股下域５とを有する。パンツＰ１では、前胴周り域４の胴周り両側部７と後胴周り域６の胴周り両側部９とが合掌状に重なり合い、それら胴周り域４，６の胴周り両側部７，９どうしが縦方向へ間欠的に並ぶ多数の熱融着線１２を介して固着されている。パンツＰ１では、股下域５に延びる脚周り開口縁部８がパンツＰ１の横方向内方へ向かって弧を画いている。パンツＰ１は、その平面形状が砂時計型を呈する。パンツＰ１は、縦方向と横方向とへ弾性的な伸縮性を有する疎水性繊維不織布から作られている。
【００１５】
パッドＰ２は、肌当接側に位置する透液性表面シート１３と、肌非当接側に位置する不透液性裏面シート１４と、表裏面シート１３，１４の間に介在してそれらシート１３，１４のうちの少なくとも一方の内面に固着された吸液性コア１５とから形成されている。パッドＰ２は、パンツＰ１の股下域５から前後胴周り域４，６に向かって延びており、パンツＰ１から上方へわずかに離間している。
【００１６】
パッドＰ２は、図２に示すように、パンツＰ１の前胴周り域４寄りに位置して横方向へ延びる前端部１６と、パンツＰ１の後胴周り域６寄りに位置して横方向へ延びる後端部１７と、それら端部１６，１７の間を縦方向へ延びる両側部１８とを有する。パッドＰ２の両側部１８には、縦方向へ延びる一対の不透液性防漏シート１９が取り付けられている。パッドＰ２は、両側部１８の間の横寸法がパンツＰ１の股下域５における最小横寸法よりも小さい。
【００１７】
防漏シート１９は、コア１５の両側縁１５ａの外側に位置して縦方向へ延びる固定側部１９ａと、表面シート１３の上方へ起立性向を有して縦方向へ延びる自由側部１９ｂと、パッドＰ２の前後端部１６，１７に位置して横方向内方へ倒伏した固定両端部１９ｃとを有する。防漏シート１９の自由側部１９ｂには、縦方向へ延びる伸縮性弾性部材２０が収縮可能に取り付けられている。弾性部材２０は、自由側部１９ｂの一部に包被されている。
【００１８】
第１連結帯２１は、縦長矩形を呈し、パンツＰ１の前胴周り域４における胴周り開口縁部１０とパッドＰ２の前端部１６との間を縦方向へ延びている。第１連結帯２１は、その上端部２１ａが前胴周り域４の胴周り開口縁部１０に固着され、その下端部２１ｂがパッドＰ２の前端部１６に固着されている。第２連結帯２２は、縦長矩形を呈し、パンツＰ１の後胴周り域６における胴周り開口縁部１１とパッドＰ２の後端部１７との間を縦方向へ延びている。第２連結帯２２は、その上端部２２ａが後胴周り域６の胴周り開口縁部１１に固着され、その下端部２２ｂがパッドＰ２の後端部１７に固着されている。第１および第２連結帯２１，２２は、縦方向と横方向とへ弾性的な伸縮性を有する疎水性繊維不織布から作られている。
【００１９】
パッドＰ２の両側部１８では、表面シート１３の両側部１３ａがコア１５の両側縁１５ａから横方向外方へわずかに延び、表面シート１３の両側部１３ａからさらに横方向外方へ裏面シート１４の両側部１４ａと防漏シート１９の固定側部１９ａとが延びている。表面シート１３の側部１３ａは、側部１４ａと側部１９ａとの間に介在し、それら側部１４ａ，１９ａ内面に固着されている。裏面シート１４の側部１４ａと防漏シート１９の側部１９ａとは、それら側部１４ａ，１９ａの互いに重なり合う部分が固着されている。
【００２０】
パッドＰ２の前後端部１６，１７では、コア１５の両端縁１５ｂから縦方向外方へ表面シート１３の両端部１３ｂと裏面シート１４の両端部１４ｂとが延び、それらシート１３，１４の端部１３ｂ，１４ｂ内面どうしが固着されている。防漏シート１９の固定両端部１９ｃは、表面シート１３の両端部１３ｂ外面に固着されている。第１および第２連結帯２１，２２の下端部２１ｂ，２２ｂは、表面シート１３の両端部１３ｂ外面と防漏シート１９の固定両端部１９ｃ外面とに固着されている。
【００２１】
パンツＰ１は、その伸長応力が第１および第２連結帯２１，２２の伸長応力よりも大きい。第１連結帯２１と第２連結帯２２とでは、第２連結帯２２の伸長応力が第１連結帯２１の伸長応力よりも小さい。第１連結帯２１と第２連結帯２２とは、縦寸法と横寸法とが略同一である。
【００２２】
物品１Ａでは、それを着用したときに、伸縮性を有するパンツＰ１の前後胴周り域４，６全域が着用者の胴部を締め付けるとともに、脚周り開口縁部８が着用者の脚部を締め付けるので、着用した物品１Ａが着用者の胴部から不用意にずり下がってしまうことはない。物品１Ａでは、伸縮性を有する第１および第２連結帯２１，２２が着用者の股間部に当接したパッドＰ２を股下域５から胴周り開口２の方向へ向かって持ち上げるので、それら連結帯２１，２２の縦方向への収縮力を利用してパッドＰ２を着用者の股間部に密着させることができる。
【００２３】
物品１Ａでは、パンツＰ１が着用位置から動いたとしても、その動きを伸縮性を有する第１および第２連結帯２１，２２が吸収するので、パンツＰ１の動きがパッドＰ２に伝わり難く、パンツＰ１と一緒にパッドＰ２が動くことはなく、パッドＰ２が着用位置からずれてしまうことはない。
【００２４】
物品１Ａでは、その着用中に、第１および第２連結帯２１，２２の縦方向の収縮力がパンツＰ１を着用者の胴部からずり下げるように作用したとしても、パンツＰ１の伸長応力がそれら連結帯２１，２２の伸長応力よりも大きいので、パンツＰ１の着用者の胴部への密着状態が維持され、パンツＰ１が着用者の胴部からずり下がってしまうことはない。
【００２５】
物品１Ａでは、伸長応力が第１連結帯２１のそれよりも小さい第２連結帯２２が着用者の臀部の形状に沿って縦方向へ容易に延びるので、物品１Ａの着用中に、第２連結帯２２の縦方向への収縮力によってパッドＰ２が着用者の臀部の側に引き寄せられてしまうことはない。
【００２６】
パッドＰ２では、それが表面シート１３を内側にして縦方向へ湾曲すると、弾性部材２０が収縮して防漏シート１９の自由縁部１９ｂが表面シート１３の上方へ起立する。パッドＰ２では、防漏シート１９の自由縁部１９ｂが排泄物に対する障壁を形成するので、パッドＰ２の両側部１８からの排泄物の漏れを防ぐことができる。
【００２７】
図５，６は、他の一例として示す着用物品１Ｂの斜視図と、パンツＰ１の前後胴周り域４，６の連結を解除した状態で示す物品１Ｂの部分破断平面図とであり、図７，８は、図５のＣ−Ｃ線矢視断面図と、図５のＤ−Ｄ線矢視断面図とである。図５，６では、横方向を矢印Ｘで示し、縦方向を矢印Ｙで示す。図６では、前後身頃シート２３，２４の股下端部２５，２６の連結を解除した状態で示す。
【００２８】
物品１Ｂは、胴周り開口２および一対の脚周り開口３を有するパンツＰ１と、パンツＰ１の内側に配置された液吸収性パッドＰ２と、パンツＰ１とパッドＰ２とを連結する第１および第２連結帯２１，２２とから構成されている。
【００２９】
パンツＰ１は、それぞれ弾性的な伸縮性を有する別体の前身頃シート２３と後身頃シート２４とから形成されている。パンツＰ１は、互いに互いに対向する前後胴周り域４，６と、それら胴周り域４，６の間に位置する股下域５とを有する。
【００３０】
パンツＰ１では、前身頃シート２３の胴周り両側部７と後身頃シート２４の胴周り両側部９とが合掌状に重なり合い、それらシート２３，２４の胴周り両側部７，９どうしが縦方向へ間欠的に並ぶ多数の熱融着線１２を介して固着されている。パンツＰ１では、前身頃シート２３の股下端部２５と後身頃シート２４の股下端部２６とが合掌状に重なり合い、それらシート２３，２４の股下端部２５，２６どうしが横方向へ間欠的に並ぶ多数の熱融着線２７を介して固着されている。前身頃シート２３と後身頃シート２４とは、縦方向と横方向とへ弾性的な伸縮性を有する疎水性繊維不織布から作られている。パンツＰ１では、後身頃シート２４の伸長応力が前身頃シート２３の伸長応力よりも小さい。
【００３１】
パッドＰ２は、透液性表面シート１３および不透液性裏面シート１４と、それらシート１３，１４の間に介在する吸液性コア１５とから形成されている。パッドＰ２は、パンツＰ１の股下域５から前後胴周り域４，６に向かって延びており、パンツＰ１から上方へわずかに離間している。パッドＰ２は、図６に示すように、前後端部１６，１７と両側部１８とを有し、その両側部１８に縦方向へ延びる一対の不透液性防漏シート１９が取り付けられている。パッドＰ２は、両側部１８の間の横寸法がパンツＰ１の股下域５における最小横寸法よりも小さい。
【００３２】
第１連結帯２１は、縦長矩形を呈し、その上端部２１ａが前胴周り域４の胴周り開口縁部１０に固着され、その下端部２１ｂがパッドＰ２の前端部１６に固着されている。第２連結帯２２は、縦長矩形を呈し、その上端部２２ａが後胴周り域６の胴周り開口縁部１１に固着され、その下端部２２ｂがパッドＰ２の後端部１７に固着されている。第１および第２連結帯２１，２２は、縦方向と横方向とへ弾性的な伸縮性を有する疎水性繊維不織布から作られている。
【００３３】
パンツＰ１は、その伸長応力が第１および第２連結帯２１，２２の伸長応力よりも大きい。第１連結帯２１と第２連結帯２２とでは、第２連結帯２２の伸長応力が第１連結帯２１の伸長応力よりも小さい。第１連結帯２１と第２連結帯２２とは、縦寸法と横寸法とが略同一である。
【００３４】
物品１Ｂでは、それを着用したときに、パンツＰ１の前後胴周り域４，６全域が着用者の胴部を締め付けるとともに、脚周り開口側部８が着用者の脚部を締め付けるので、着用した物品１Ｂが着用者の胴部から不用意にずり下がってしまうことはない。
【００３５】
物品１Ｂでは、第１および第２連結帯２１，２２が着用者の股間部に当接したパッドＰ２を胴周り開口２の方向へ向かって持ち上げるので、パッドＰ２を着用者の股間部に密着させることができる。物品１Ｂでは、パンツＰ１が着用位置から動いたとしても、その動きを第１および第２連結帯２１，２２が吸収するので、パンツＰ１の動きがパッドＰ２に伝わり難く、パンツＰ１と一緒にパッドＰ２が動いてしまうことはない。
【００３６】
物品１Ｂでは、第１および第２連結帯２１，２２の伸長応力がパンツＰ１の伸長応力よりも小さいので、それら連結帯２１，２２の縦方向の収縮力がパンツＰ１を着用者の胴部からずり下げるように作用したとしても、パンツＰ１が着用者の胴部からずり下がってしまうことはない。物品１Ｂでは、伸長応力が第１連結帯２１のそれよりも小さい第２連結帯２２が着用者の臀部の形状に沿って縦方向へ容易に延びるので、第２連結帯２２の収縮力によってパッドＰ２が着用者の臀部の側に引き寄せられてしまうことはない。
【００３７】
物品１Ｂでは、伸長応力が前身頃シート２３のそれよりも小さい後身頃シート２４が着用者の臀部の形状に沿って横方向と縦方向とへ容易に延びるので、パンツＰ１を着用者の体型に合致させることができる。物品１Ｂでは、防漏シート１９の自由縁部１９ｂが排泄物に対する障壁を形成するので、パッドＰ２の両側部１８からの排泄物の漏れを防ぐことができる。
【００３８】
表面シート１３には、親水性繊維不織布、多数の開孔を有する疎水性繊維不織布、微細な多数の開孔を有するプラスチックフィルムのいずれかを使用することができる。
【００３９】
裏面シート１４や防漏シート１９には、実質的に非伸縮性の疎水性繊維不織布や実質的に非伸縮性の通気不透液性プラスチックフィルム、前記疎水性繊維不織布を重ね合わせた複合不織布、前記疎水性繊維不織布と前記通気不透液性プラスチックフィルムとを重ね合わせた複合シートのいずれかを使用することができる。
【００４０】
裏面シート１４や防漏シート１９には、高い耐水性を有するメルトブローン法による繊維不織布の両面を、高い強度と優れた柔軟性とを有するスパンボンド法による繊維不織布で挟んだ複合不織布を使用することもできる。
【００４１】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４２】
パンツＰ１や第１および第２連結帯２１，２２を形成する伸縮性不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。
【００４３】
パンツＰ１や第１および第２連結帯２１，２２には、伸縮性かつ疎水性繊維不織布の他に、弾性的な伸縮性を有する不透液性プラスチックフィルム、２枚の伸縮性かつ疎水性繊維不織布を重ね合わせた複合不織布、２枚の伸縮性かつ不透液性プラスチックフィルムを重ね合わせた複合フィルム、伸縮性かつ疎水性の繊維不織布と伸縮性かつ不透液性のプラスチックフィルムとを重ね合わせた複合シートのいずれかから作られていてもよい。
【００４４】
また、パンツＰ１や第１および第２連結帯２１，２２には、熱可塑性エラストマー樹脂繊維からなる伸縮性かつ疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を重ね合わせた複合不織布を使用することもできる。
【００４５】
コア１５は、フラッフパルプと高吸収性ポリマー粒子との混合物、または、フラッフパルプと高吸収性ポリマー粒子と熱可塑性合成樹脂繊維との混合物であり、所与厚みに圧縮されている。コア１５は、それの型崩れやポリマー粒子の脱落を防止するため、全体がティッシュペーパーや親水性繊維不織布等の透液性シートに包被されていることが好ましい。ポリマー粒子としては、デンプン系、セルロース系、合成ポリマー系のものを使用することができる。
【００４６】
シート１３，１４，１９，２３，２４どうしの固着、シート１３，１４に対するコア１５の固着、パンツＰ１やパッドＰ２に対する第１および第２連結帯２１，２２の固着、シート１９に対する弾性部材２０の固着には、ホットメルト型接着剤、または、ヒートシールやソニックシール等の熱による溶着手段を利用することができる。
【００４７】
【発明の効果】
本発明にかかるパンツ型の使い捨て着用物品によれば、伸縮性を有する第１および第２連結帯が着用者の股間部に当接したパッドを胴周り開口の方向へ向かって持ち上げるので、それら連結帯の縦方向への収縮力を利用してパッドを着用者の股間部に密着させることができる。この物品では、パンツが着用位置から動いたとしても、その動きを第１および第２連結帯が吸収するので、パンツの動きがパッドに伝わり難く、パンツと一緒にパッドが動くことはなく、パッドが着用位置からずれてしまうことはない。この物品では、その着用中に、第１および第２連結帯の縦方向の収縮力がパンツを着用者の胴部からずり下げるように作用したとしても、パンツの伸長応力がそれら連結帯の伸長応力よりも大きいので、パンツの着用者の胴部への密着状態が維持され、パンツが着用者の胴部からずり下がってしまうことはない。
【００４８】
第２連結帯の伸長応力が第１連結帯の伸長応力よりも小さい物品では、第２連結帯が着用者の臀部の形状に沿って容易に延びるので、その着用中に、第２連結帯の縦方向への収縮力によってパッドが着用者の臀部の側に引き寄せられてしまうことを防ぐことができる。
【００４９】
パンツがそれぞれ弾性的な伸縮性を有する別体の前身頃シートと後身頃シートとから形成された物品では、伸長応力が前身頃シートのそれよりも小さい後身頃シートが着用者の臀部の形状に沿って横方向と縦方向とへ容易に延びるので、パンツを着用者の体型に合致させることができる。
【図面の簡単な説明】
【図１】  一例として示す着用物品の部分破断斜視図。
【図２】  パンツの前後胴周り域の連結を解除した状態で示す物品の部分破断平面図。
【図３】  図１のＡ−Ａ線矢視断面図。
【図４】  図１のＢ−Ｂ線矢視断面図。
【図５】  他の一例として示す着用物品の部分破断斜視図。
【図６】  パンツの前後胴周り域の連結を解除した状態で示す物品の部分破断平面図。
【図７】  図５のＣ−Ｃ線矢視断面図。
【図８】  図５のＤ−Ｄ線矢視断面図。
【符号の説明】
１Ａ          パンツ型の使い捨て着用物品
１Ｂ          パンツ型の使い捨て着用物品
２            胴周り開口
３            脚周り開口
４            前胴周り域
５            股下域
６            後胴周り域
７            胴周り側部
９            胴周り側部
１０            胴周り開口縁部
１１            胴周り開口縁部
１３            透液性表面シート
１４            不透液性裏面シート
１５            吸液性コア
１６            前端部
１７            後端部
２１            第１連結帯
２１ａ          上端部
２１ｂ          下端部
２２            第２連結帯
２２ａ          上端部
２２ｂ          下端部
２３            前身頃シート
２４            後身頃シート
２５            股下端部
２６            股下端部
Ｐ１            パンツ
Ｐ２            液吸収性パッド
【図１】
0003811086.tif 000002
【図２】
0003811086.tif 000003
【図３】
0003811086.tif 000004
【図４】
0003811086.tif 000005
【図５】
0003811086.tif 000006
【図６】
0003811086.tif 000007
【図７】
0003811086.tif 000008
【図８】
0003811086.tif 000009